(57)【要約】【課題】  ねじりばねを用いて動作補助力を得るスライド型携帯電話機は、上筐体と下筐体の開閉に伴い移動するねじりばねの可動領域を確保する必要があり、携帯電話機の厚み、体積が増加するという問題があった。【解決手段】  本発明に係るスライド型携帯通信機は、上筐体１０１と、下筐体２０１と、溝が形成されたフレーム３０３、下筐体２０１に固定されて、フレーム３０３に沿って摺動可能なアクチュエータ３０６、フレーム３０３に固定されて、アクチュエータ３０６の摺動を規制するシャフト３０１、このシャフト３０１に設けられ、アクチュエータ３０６をシャフト３０１に沿って摺動させる弾性力をアクチュエータ３０６に作用させるばね３０７を含み、上筐体１０１に対して下筐体２０１を相対的に平行移動可能に連結するスライドモジュールとを設けた。【選択図】          図２
2006333079.tif 000002
【特許請求の範囲】
【請求項１】
第１の筐体と、
第２の筐体と、
溝が形成されたガイド部材、前記第２の筐体に固定されて、前記ガイド部材に沿って摺動可能なスライド部材、前記ガイド部材に固定されて、前記スライド部材の摺動を規制するシャフト部材、このシャフト部材に設けられ、前記スライド部材を前記シャフト部材に沿って摺動させる弾性力を前記スライド部材に作用させる弾性部材を含み、前記第１の筐体に対して前記第２の筐体を相対的に平行移動可能に連結するスライドモジュールとを設けたことを特徴とするスライド型携帯通信機。
【請求項２】
第２の筐体は、この第２の筐体に対して第１の筐体が摺動する方向の中央部に、スライドモジュールのスライド部材が連結される連結部が形成され、前記第２の筐体に対して前記第１の筐体が摺動する方向の、前記連結部が形成された位置よりも前記第２の筐体の端部側に前記第１の筐体と係合する係合部が設けられたことを特徴とする請求項１に記載のスライド型携帯通信機。
【請求項３】
第２の筐体は、第１の筐体が前記第２の筐体と重なる閉状態から、弾性部材の弾性力によって前記第２の筐体を前記第１の筐体に対して移動させ、前記第２の筐体に設けられた操作部を露出させる開状態にする解除ボタン、この解除ボタンが押下されない状態で、前記解除ボタンが設けられた方向に弾性力によって付勢されるとともに、前記解除ボタンが押下されるのに伴い、前記第１の筐体と前記第２の筐体を閉状態に保持するロックの係合を解除するレバー部材、前記解除ボタンおよび前記レバー部材は導通可能に形成されており、前記レバー部材とグランドを電気的に接続する導通部材が設けられたことを特徴とする請求項１に記載のスライド型携帯通信機。
【請求項４】
スライドモジュールは、ねじによって第２の筐体に固定するためのねじ孔と、シャフト部材が通されるためのシャフト溝が、第１の筐体と前記第２の筐体が重なる垂直方向に重ならないように形成されたスライド部材を設けたことを特徴とする請求項１に記載のスライド型携帯通信機。
【請求項５】
スライドモジュールは、ねじによって第２の筐体に固定するためのねじ孔と、シャフト部材が通されるためのシャフト溝が、第１の筐体と前記第２の筐体が重なる垂直方向に重なるように形成されたスライド部材を設けたことを特徴とする請求項１に記載のスライド型携帯通信機。
【請求項６】
第１の筐体は、スライドモジュールを２系統設けたことを特徴とする請求項３に記載のスライド型携帯通信機。
【請求項７】
第１の筐体は、第２の筐体に対して前記第１の筐体が摺動する方向と直交する幅方向の両端部に２系統設けられたスライドモジュール間の厚みが、２系統の前記スライドモジュールが設けられた位置の厚みよりも薄く形成されたことを特徴とする請求項６に記載のスライド型携帯通信機。
【発明の詳細な説明】
【技術分野】
【０００１】
本発明は、表示部及び操作部を備えた上筐体と、操作部を備えた下筐体がスライド可能に連結されるスライド型携帯電話機などのスライド型携帯通信機に関するものである。
【背景技術】
【０００２】
現在の携帯電話機の種類として、少なくとも表示部を備えた上筐体と、操作部を備えた下筐体がヒンジを介して回動可能に連結された二つ折れ携帯電話機と、上筐体と下筐体がスライド可能に連結されたスライド型携帯電話機がある。特に、スライド型携帯電話機は、表示部を備えた上筐体に対して、操作部と送話部を備えた下筐体がほぼ平行に相対移動し、下筐体の操作部が上筐体に覆われている「閉状態」から、上筐体の表示部と受話部および下筐体の操作部がともに露出した「開状態」に移行する。スライド型携帯電話機は閉状態で上筐体の表示部が露出しているため、発呼や着呼、電子メールの確認など通信機としての基本的な操作を閉じた状態で実行できるように、上筐体にも操作部が設けられている。
【０００３】
特許文献１には、上筐体と下筐体をスライド可能に連結するスライドモジュールの構成を開示している。このスライドモジュールは、スライドカバーとロックプレートからなるスライドケース内にスライダーを収納して形成される。スライダーは、スライドケース内に圧接状態で収納されており、ガイド長溝に沿って摺動する。このスライドケースを例えば上筐体に設け、スライダーを下筐体とねじ止め固定することにより、上筐体と下筐体がスライド可能に連結される。
【０００４】
【特許文献１】特開２００３−１２５０５２号公報
【０００５】
スライド型携帯電話機は、利用者が筐体を開く際に、上筐体を下筐体に対してスライド距離の全長に渡って手で押し込む必要があるので、手が小さい利用者がスライド型携帯電話機を片手で開くのは不便である。そこで、ねじりばねなどを用いて、スライドの開閉両方向に動作補助力を発生させるスライド型携帯電話機が販売されている。ねじりばねにより動作補助力を得るスライド型携帯電話機は、利用者が開き始めあるいは閉じ始めに上筐体を押し込んでやることで、ねじりばねの弾性力によって閉じきった状態あるいは開ききった状態まで上筐体は下筐体に対して移動される。
【発明の開示】
【発明が解決しようとする課題】
【０００６】
ところで、ねじりばねを用いて動作補助力を得るスライド型携帯電話機は、上筐体と下筐体の開閉に伴い移動するねじりばねの可動領域を確保する必要がある。このような可動領域を確保するため、携帯電話機の厚み、体積が増加するという問題があった。厚みや体積の増加を抑制する一案として、上筐体と下筐体を組み付けた状態で上筐体と下筐体が互いに対向する面に、ねじりばねの可動領域となる凹部を設けることが考えられる。しかし、この場合、ねじりばねの可動領域となる凹部の体積分だけ、上筐体ないし下筐体の実装体積が小さくなるという問題が生じる。
【課題を解決するための手段】
【０００７】
本発明に係るスライド型携帯通信機は、第１の筐体と、第２の筐体と、溝が形成されたガイド部材、第２の筐体に固定されて、ガイド部材に沿って摺動可能なスライド部材、ガイド部材に固定されて、スライド部材の摺動を規制するシャフト部材、このシャフト部材に設けられ、スライド部材をシャフト部材に沿って摺動させる弾性力をスライド部材に作用させる弾性部材を含み、第１の筐体に対して第２の筐体を相対的に平行移動可能に連結するスライドモジュールとを設けたものである。
【発明の効果】
【０００８】
本発明に係るスライド型携帯通信機は、第１の筐体と、第２の筐体と、溝が形成されたガイド部材、第２の筐体に固定されて、ガイド部材に沿って摺動可能なスライド部材、ガイド部材に固定されて、スライド部材の摺動を規制するシャフト部材、このシャフト部材に設けられ、スライド部材をシャフト部材に沿って摺動させる弾性力をスライド部材に作用させる弾性部材を含み、第１の筐体に対して第２の筐体を相対的に平行移動可能に連結するスライドモジュールとを設けたので、ねじりばねを用いる場合に必要な可動領域を上設ける必要がなく、携帯電話機の小型化、薄型化を実現できるという効果を奏する。
【発明を実施するための最良の形態】
【０００９】
実施の形態１．
図１は、本発明に係るスライド型携帯電話機の外観を示す外観斜視図である。図１において、第１の筐体である上筐体１０１には、画像情報を表示する表示部である液晶表示部１０２、キー入力部１０３、受話部１０４が設けられている。また、第２の筐体である下筐体２０１には、キー入力部２０２、送話部２０３が設けられている。図１に示されるように、上筐体１０１と下筐体２０１が開けられた状態では、上筐体１０１の液晶表示部１０２、キー入力部１０３、受話部１０４と、下筐体２０１の操作部２０２がともに露出した状態になる。一方、上筐体１０１と下筐体２０１が閉じられた状態では、上筐体１０１の液晶表示部１０２、キー入力部１０３、受話部１０４は露出しているが、下筐体２０１のキー入力部２０２が上筐体１０１に覆われる。上筐体１０１と下筐体２０１が閉じられた状態で、解除ボタン２０４が押下されると、後述するスライドモジュールを構成するコイルばねの弾性力により、上筐体１０１が下筐体２０１に対して移動されて、図示されるように、上筐体１０１と下筐体２０１が開かれた状態となる。
【００１０】
図１に示すスライド型携帯電話機は、上筐体１０１の背面側に、上筐体１０１の長手方向に沿って延びる溝が、例えば１本ないし２本形成されている。それぞれの溝は上筐体１０１の外側と内側を貫通するように形成されており、この溝に沿って、上筐体１０１の内側にスライドモジュールが設けられる。このスライドモジュールは、スライドレールと、スライドレールに沿って移動するアクチュエータを含み、このアクチュエータによって上筐体１０１と下筐体２０１はスライド可能に連結される。図２は、本発明に係るスライド型携帯電話機に適用されるスライドモジュールの構成を示す分解斜視図である。図２において、シャフト３０１の端部ＡにＥリング３０２ａを装着し、シャフト３０１の端部Ｂから、シャフト３０１をフレーム３０３の孔３０４ａに挿入する。このとき、ダンパ３０５をフレーム３０３の孔３０４ａ側に設置しておく。このダンパ３０５にはシャフト受け用の凹部が形成されており、この凹部をシャフト３０１が押さえることにより、ダンパ３０５はフレーム３０３に保持される。
【００１１】
次に、スライド部材であるアクチュエータ３０６をガイド部材であるフレーム３０３に配置し、孔３０４ａを通されたシャフト部材であるシャフト３０１の端部Ｂを、アクチュエータ３０６のシャフト受け（溝あるいは貫通孔）と弾性部材であるコイルばね３０７に通す。アクチュエータ３０６とばね３０７が通されたシャフト３０１は、端部Ｂをフレーム３０３の孔３０４ｂに通すことによりフレーム３０３に設けられる。シャフト３０１の端部ＢにはＥリング３０２ｂが装着されることにより、シャフト３０１がフレーム３０３から抜けないように固定される。このように構成されたスライドモジュールにおいて、アクチュエータ３０６はシャフト３０１に沿って摺動自在に保持される。アクチュエータ３０６に外力を加えない状態では、アクチュエータ３０６は、ばね３０７の弾性力によってフレーム３０３の孔３０４ａ側に押し付けられた状態で静止する。ばね３０７の弾性力に逆らって、アクチュエータ３０６をフレーム３０３の孔３０４ｂ側に移動させると、ばね３０７が圧縮されきった状態の位置までアクチュエータ３０６は移動する。この状態からアクチュエータ３０６を開放すると、アクチュエータ３０６は、ばね３０７の弾性力によって移動され、ダンパ３０５に衝突して停止する。ダンパ３０５は、アクチュエータ３０６とフレーム３０３の衝突音を緩和するためのものであり、シリコンゴムなどの材料で形成されている。
【００１２】
図３は、スライドモジュールを上筐体に取り付ける状態を説明する説明図である。図３において、図１及び図２と同一の符号は同一または相当部分を示すので説明は省略する。図３に示す上筐体下ケース１０５は、上筐体１０１と下筐体２０１をスライド可能に結合した状態で下筐体２０１と対向する、上筐体１０１のケースを示す。上筐体１０１は、上筐体下ケース１０５に液晶表示部など電子部品が実装された状態で、図示しない上筐体上カバーが取り付けられて構成される。図３に示すように、フレーム３０３の一端部に形成された突起部３０８を上筐体下ケース１０５に形成された係合部（例えば孔など）に係合させ、フレーム３０３の他端部に形成されたねじ止め部３０９をケース１０５のねじ止め部１０６に接触させ、フレーム３０３を上筐体下ケース１０５のスライドモジュール設置部１０７に設置する。そして、ねじ止め部３０９からねじを締結することにより、フレーム３０３は上筐体下ケース１０５に固定される。
【００１３】
図４は本発明に係るスライド型携帯電話機の上筐体の背面を示す平面図である。図４は、図示しない下筐体２０１に対して上筐体１０１が開かれた状態のスライドモジュールを示しており、アクチュエータ３０６が、ばね３０７の弾性力によって、シャフト３０１に沿って上筐体下ケース１０５の端部まで移動された状態で静止している状況を示す。アクチュエータ３０６にはねじ孔３１１が形成されており、このねじ孔３１１に下筐体２０１がねじ止め固定される。また、上筐体下ケース１０５の背面にロック４００が設けられている。下筐体２０１に対して上筐体１０１が閉じられた状態のスライドモジュールは、ばね３０７が圧縮された状態になっている。ロック４００は上筐体下ケース１０５の背面側から一部突出して形成されており、このロック４００が下筐体２０１と係合することにより、圧縮されたばね３０７の弾性力に逆らって、上筐体１０１と下筐体２０１を閉状態で保持する機能を果たす。ロック４００は、磨耗しないように金属製の材料で形成されている。
【００１４】
また、上筐体下ケース１０５の背面には、アクチュエータ３０６の一部が露出して摺動するフレームガイド溝３１０のほか、サブフック溝１０８が形成されている。このサブフック溝１０８は、上筐体１０１の内部と貫通していない溝であり、溝の側壁に舌状の折り返し部１０９が形成されている。この折り返し部１０９とサブフック溝１０８の底面の間に、下筐体２０１に設けられた嵌合部が嵌合することにより、上筐体１０１と下筐体２０１は、スライドモジュールのほか、サブフック溝１０８と下筐体２０１の嵌合部からなるサブフック機構においてもスライド可能に連結される。図５は、上筐体と下筐体を組み付ける状態を説明する分解斜視図である。また、図６は、上筐体下ケースの背面と下筐体上カバーの正面を示す平面図である。シャフト３０１およびばね３０７と、アクチュエータ３０６などが取り付けられたフレーム３０３は、上筐体下ケース１０５のスライドモジュール設置部１０７に取り付けられ、下筐体上カバー２０５の背面側から取り付けられたねじ３１２をアクチュエータ３０６のねじ孔３１１に締結することにより、上筐体と下筐体が組みつけられる。このとき、下筐体上カバー２０５のサブフック嵌合部２０６が、図６に示すサブフック溝１０８の折り返し部１０９と嵌合されることにより、サブフック嵌合部２０６はサブフック溝１０８に沿って摺動可能に取り付けられる。
【００１５】
図７は、上筐体１０１と下筐体２０１がスライド可能に組み付けられた状態の断面を示す断面図である。図７に示されるように、下筐体上カバー２０５の内面側から外面側に一部が突出するように設けられたサブフック嵌合部２０６が、上筐体下ケース１０５のサブフック溝１０８に設けられた折り返し部１０９と嵌合している。サブフック嵌合部２０６は、下筐体上カバー２０５に取り付けられた状態で、サブフック溝１０８の折り返し部１０９に対向する側がＵ字型に形成されており、このＵ字型の両端部で折り返し部１０９と係合する。上記説明のスライド型携帯電話機は、スライドモジュールのアクチュエータのほか、サブフック機構を用いて、上筐体と下筐体をスライド可能に連結している。つまり、上記説明のスライド型携帯電話機は、上筐体と下筐体を開いた状態において、上筐体の受話部が設けられた側から操作ボタンが設けられた側への長手方向位置のほぼ中央部分をサブフック機構により連結され、サブフック機構により連結された位置よりもさらに操作ボタンが設けられた側でアクチュエータにより連結されている。したがって、上筐体と下筐体を開いた状態で、上筐体の背面側から正面方向に外力が作用しても、上筐体が下筐体から外れることを防止することができ、また、下筐体に対する上筐体のがたつきを防止できるという効果がある。
【００１６】
上記説明のように、本発明の実施の形態１に係るスライド型携帯電話機は、フレーム内のシャフトに沿って摺動可能なアクチュエータをコイルばねで付勢するスライドモジュールを用いたので、ねじりばねを用いる場合に必要な、ねじりばねの可動領域を上筐体乃至下筐体に設ける必要がない。したがって、携帯電話機の小型化、薄型化を実現できるほか、筐体内部の実装体積を確保できるという効果を奏する。また、上記説明のスライド型携帯電話機は、スライドモジュールのアクチュエータのほか、サブフック機構を用いて、上筐体と下筐体をスライド可能に連結している。したがって、上筐体と下筐体を開いた状態で、上筐体の背面側から正面方向に外力が作用しても、上筐体が下筐体から外れることを防止することができ、また、下筐体に対する上筐体のがたつきを防止できるという効果がある。
【００１７】
なお、サブフック嵌合部２０６は、図７においては、下筐体上カバー２０５とは別の部材で構成されているが、下筐体上カバー２０５にサブフック嵌合部２０６を一体成型する方法も可能である。
【００１８】
実施の形態２．
実施の形態１において説明したように、本発明に係るスライド型携帯電話機は、フレーム内のシャフトに沿って摺動可能なアクチュエータをコイルばねで付勢するスライドモジュールを用いているので、筐体を閉じているときには、コイルばねの弾性力に逆らって、筐体閉状態を維持するためのロック機構が必要である。以下、コイルばねの弾性力に逆らって筐体閉状態を維持するとともに、ボタンが押下された場合には、コイルばねの弾性力によって筐体開状態に移行させるためのロック機構について説明する。図８は、本発明に係るスライド型携帯電話機の筐体ロック機構を説明する分解斜視図である。ロック機構は、解除ボタン２０４、レバー４０１、レバー押さえ４０２、ばね４０３、係合部４０４、レバー設置部４０５を含む。解除ボタン２０４は、下筐体２０１の解除ボタン孔２０４ａから一部が露出するように設置される。解除ボタン２０４、レバー４０１、レバー押さえ４０２、ばね４０３は、磨耗を防ぐため金属製あるいは樹脂に金属めっきされた導通性部材が用いられている。上筐体と下筐体が閉じられている状態では、レバー４０１に形成された係合部４０４が、図４に示されたロック４００と係合し、スライドモジュールのコイルばね３０７の弾性力に逆らって、筐体閉状態を維持される。一方、解除ボタン２０４を押下すると、レバー４０１がスライドして、係合部４０４とロック４００の係合が解かれ、スライドモジュールのコイルばね３０７の弾性力に従って、筐体開状態に移行される。
【００１９】
この解除ボタン２０４に接触するように、レバー４０１を下筐体２０１にはめ込むとともに、下筐体２０１の側面（解除ボタン孔２０４ａが設けられた側面）から下筐体２０１の中央部方向に、下筐体２０１の幅方向に延びる腕４０１ａをレバー設置部４０５にはめ込む。レバー設置部４０５にはめ込まれたレバー４０１は、レバー設置部４０５に対して摺動可能に設置される。レバー４０１とレバー設置部４０５の端部の間には突起が形成されており、この突起に引っ掛けるようにばね４０３をレバー４０１とレバー設置部４０５間にはめ込む。このばね４０３の弾性力によって、レバー４０１はレバー設置部４０５に対して、下筐体２０１の側面方向に付勢された状態で保持され、レバー４０１に接触する解除ボタン２０４は、解除ボタン孔２０４ａから突出した状態となる。図９は、下筐体２０１の平面図である。図１０は、図９に示す下筐体２０１の断面を示す断面図である。
【００２０】
図１０（ａ）は図９に示す下筐体２０１の０１−０１断面を示す。図１０（ａ）において、下筐体２０１は、下筐体上カバー２０５と下筐体下ケース２０７が取り付けられることによって構成されている。下筐体上カバー２０５と下筐体下ケース２０７内部には、金属製の、あるいは樹脂に金属めっきがされたフレーム２０９が収納されている。フレーム２０９には電子部品が実装される。図１０（ｂ）は図９に示す下筐体２０１の０２−０２断面を示す。図１０（ｂ）には、下筐体上カバー２０５のレバー設置部４０５に、レバー４０１、レバー押さえ４０２、ばね４０３などのロック機構を構成する部材が設けられていることが示されている。図１０（ｃ）は、図１０（ａ）の一部分を拡大して示す断面図である。図１０（ｃ）において、解除ボタン２０４およびレバー４０１の下側に金属体２０８が設けられている。金属体２０８はフレーム２０９と電気的に接続されている。図１０（ｄ）は、図１０（ｂ）の一部分を拡大して示す断面図である。図１０（ｄ）において、レバー４０１は、解除ボタン２０４が押下されていないとき、ばね４０３の弾性力によって付勢され、金属体２０８の側面と接触している。
【００２１】
図１１は下筐体２０１の分解斜視図である。図１１において、下筐体下ケース２０７にはカメラレンズ窓２１２が形成されている。この下筐体下ケース２０７に、フレーム２０９がねじ止め部２１１に位置決めされて固定される。フレーム２０９にはカメラモジュール配置部２１３が設けられており、カメラモジュールのレンズがカメラレンズ窓２１２方向に向くように、配置部２１３に設置される。金属体２０８は、下筐体下ケース２０７の、解除ボタン２０４とレバー４０１が設けられる位置に設置される。さらに基板２１０がねじ止め部２１１に位置決めされてフレーム２０９に接触して固定される。フレーム２０９と基板２１０は電気的に接続される。上記説明のように、解除ボタン２０４が押下されていない状態では、ばね４０３の弾性力によって、ロック機構のレバー４０１は上筐体２０１の、解除ボタン２０４が設けられた側面方向に付勢されており、金属体２０８に接触した状態となっている（図１０（ｄ）参照）。つまり、解除ボタン２０４が押下されていない状態では、いずれも金属あるいは樹脂に金属めっきが施されて形成された解除ボタン２０４、レバー４０１、金属体２０８、フレーム２０９、基板２１０が電気的に導通可能な状態となっている。一方、解除ボタン２０４が押下されると、レバー４０１はばね４０３の弾性力に逆らって、解除ボタン２０４が設けられた側面とは逆方向にスライドし、金属体２０８と離れるため、レバー４０１と金属体２０８との電気的接続は絶たれる。
【００２２】
ユーザが筐体を開けるため、解除ボタン２０４を押す際に、ユーザの指と解除ボタン２０４間で静電気が発生する場合がある。本発明に係るスライド型携帯電話機は、解除ボタン２０４が押下されていない状態では、ばね４０３の弾性力によって、ロック機構のレバー４０１は上筐体２０１の、解除ボタン２０４が設けられた側面方向に付勢されて、金属板２０８と接触するように構成されており、かつ、この金属板２０８がレバー４０１とフレーム２０９間を電気的に接続しているので、ユーザの指に帯電している静電気を、ユーザが解除ボタンを押しこむ前に、レバー４０１、金属板２０８、フレーム２０９、基板２１０、グランド（たとえば基板２１０に設けられている）の経路で逃がすことができる。ユーザからの静電気は、上記のような経路をたどって、基板２１０のグランドに確実に導かれるので、電子部品の静電気対策という観点で信頼性は向上する。仮に、解除ボタン２０４が押下されたときに、レバー４０１とフレーム２０９が電気的に導通するように構成されている場合、解除ボタン２０４を押下する前に放電した静電気が予想しない部位に流れ、電子部品などに影響を及ぼす可能性がある。しかし、本発明に係るスライド型携帯電話機は、上記説明のように、解除ボタン２０４が押下される前に、レバー４０１とフレーム２０９が電気的に導通するように構成されているので、ユーザの指が解除ボタン２０４に近づいた状態、およびユーザの指が解除ボタン２０４に接触した状態（解除ボタン２０４が押下される前）に静電気を安定的にグランドに導くことができ、静電気が電子部品の動作に影響を及ぼすことを防止できる。
【００２３】
なお、上記説明のスライド型携帯電話機は、解除ボタン２０４、レバー４０１の静電気を、カメラモジュールなどの電子部品を収納する金属製のフレームを介してグランドに落としていた。しかし、必ずしも金属製のフレームを用いる必要はない。例えば、携帯電話機に実装される電子部品は、「シールドボックス」と呼ばれる基板上の金属製の箱によって電磁的に遮蔽される場合がある。したがって、フレームではなく、このシールドボックスを介して静電気をグランドに落とす構成も採用可能である。
【００２４】
実施の形態３．
上記説明のスライド型携帯電話機は、シャフト３０１、Ｅリング３０２、フレーム３０３、孔３０４、ダンパ３０５、アクチュエータ３０６、ばね３０７より構成されたスライドモジュールを２本用いていた。しかし、上記説明のように、上筐体１０１にスライドモジュールを２本設けるのではなく、スライドモジュールを１本設ける構成も採用可能である。図１２は本発明に係るスライド型携帯電話機の断面を示す断面図である。図１２（ａ）は、スライドモジュールを２本設けたスライド型携帯電話機の断面を示す断面図、図１２（ｂ）は、スライドモジュールを１本設けたスライド型携帯電話機の断面を示す断面図を示す。なお、図１２において、図１及び図２と同一の符号は同一または相当部分を示すので説明は省略する。
【００２５】
適用するスライドモジュールを２本から１本にするためには、２本のスライドモジュールで上筐体１０１を移動させるのに必要な弾性力を、１本のスライドモジュールで得る必要がある。適用するスライドモジュールを１本にする場合には、すくなくともばね３０７の径を大きくし、弾性力を強化する必要がある。ばね３０７の径を大きくすることにより、そのばね３０７を収納するフレーム３０３も大きくなる。つまり、スライドモジュールの数を減らすと、弾性力を強化するためにばね３０７などを大型化する必要があるので、スライドモジュールは大きくなる傾向がある。一般的にスライドモジュールのような部品が大型化することは好ましいことではない。しかし、適用するスライドモジュールの個数が減る分、スライドモジュールの占める実装体積を減少させることができるほか、費用の観点からも利点は多い。
【００２６】
実施の形態４．
図１３は、本発明に係るスライド型携帯電話機のスライドモジュールを構成するアクチュエータの断面を示す断面図である。本発明に係るスライド型携帯電話機のスライドモジュールは、アクチュエータ３０６をばね３０７の弾性力によって、シャフト３０１に沿って移動させるものである。したがって、アクチュエータ３０６には、アクチュエータの長手方向、つまりフレーム３０３に沿ってアクチュエータ３０６が摺動する方向に貫通する孔、ないしは、アクチュエータ３０６の長手方向に延びるアクチュエータ溝３１３が形成されている。このアクチュエータ３０６のねじ孔３１１に、下筐体２０１側からねじ３１２を締結することによって、上筐体１０１と下筐体２０１はアクチュエータ３０６を介してスライド可能に連結される。
【００２７】
図１３（ａ）は、アクチュエータ３０６の厚み方向、即ち図上の垂直方向に、ねじ孔３１１がアクチュエータ溝３１３と重なるように形成されたアクチュエータ３０６ａの断面を示す断面図であり、図１３（ｂ）は、アクチュエータ３０６の厚み方向、即ち図上の垂直方向からねじ孔３１１とアクチュエータ溝３１３がずれるように形成されたアクチュエータ３０６ｂの断面を示す断面図である。図１３（ａ）のように、アクチュエータの厚み方向にねじ孔３１１とアクチュエータ溝３１３が重なるように形成されたアクチュエータ３０６ａは、アクチュエータの厚みが増すものの、アクチュエータの幅、即ち図上の水平方向のサイズを小型化することができるという利点がある。一方、図１３（ｂ）のように、アクチュエータの厚み方向からねじ孔３１１とアクチュエータ溝３１３がずれるように形成されたアクチュエータ３０６ｂは、アクチュエータの幅のサイズが増すものの、アクチュエータの厚みを薄くすることができるという利点がある。
【００２８】
上記説明のように、ばね３０７の弾性力によってアクチュエータ３０６をシャフト３０１に沿って移動させるスライドモジュールの場合、シャフト３０１を通すアクチュエータ溝３１３とねじ孔３１１をアクチュエータ３０６の厚み方向に重なるように形成することによって、アクチュエータ３０６の幅を小さくすることができる。一方、シャフト３０１を通すアクチュエータ溝３１３とねじ孔３１１をアクチュエータ３０６の厚み方向からずれるように形成することにより、アクチュエータ３０６の厚みを小さくすることができる。図１３（ａ）に示されたアクチュエータ３０６ａと、図１３（ｂ）に示されたアクチュエータ３０６ｂのいずれを選択するかは、適用する携帯電話機のサイズや実装体積などの要素に応じて適宜決定すればよい。
【００２９】
実施の形態５．
図１４及び図１５は、本発明に係るスライド型携帯電話機のロック機構を説明する分解斜視図である。図１４は、上筐体下ケース１０５の背面側に設けられたロック機構を説明する分解斜視図であり、図１５は、下筐体上カバー２０５の正面側に設けられたロック機構を説明する分解斜視図である。図１４において、ロック５００は、上筐体下ケース１０５の背面側に、アクチュエータ３０６がスライドするフレームガイド溝３１０近傍に形成された突起部５０１と、金属部材５０２より構成される。このロック５００が、後述する下筐体上ケース２０５のレバー５０３に形成された係合部５０４と係合し、スライドモジュールのコイルばねが発生する弾性力に逆らって筐体閉状態を維持する。金属部材５０２は、突起部５０１が係合部５０４と係合した際に摩滅しないように保護する部材である。また、図１５において、図１４に示すロック５００と係合するレバー５０３の位置に、一対の係合部５０４が形成されている。このレバー５０３は、下筐体上カバー２０５のレバー設置部５０５にスライド自在に取り付けられる。図示されていないが、レバー設置部５０５には、レバー５０３を解除ボタン２０４方向に付勢するばねが取り付けられる。
【００３０】
図１４に示す上筐体下ケース１０５と、図１５に示す下筐体上カバー２０５がスライドモジュールにより組み付けられた状態で、図１４のロック５００ａは図１５の係合部５０４ａに、図１４のロック５００ｂは図１５の係合部５０４ｂに係合する。上記説明のように、上筐体に設けられた２本のスライドモジュールごとに、上筐体下ケース１０５にロック機構を形成し、下筐体に設けられたレバーにロック機構と係合する係合部を設けた。したがって、フレーム内のシャフトに沿って摺動可能なアクチュエータをコイルばねで付勢するスライドモジュールを用いたスライド型携帯電話機において、ばねの弾性力に逆らって上筐体と下筐体の閉状態を保持する信頼性が改善される。つまり、解除ボタンを押下しない（つまりユーザが意図しない）状況で、上筐体と下筐体が開いてしまうという問題をより確実に防止することができるという効果を奏する。
【００３１】
実施の形態６．
図１６は、本発明に係るスライド型携帯電話機を示す平面図及び断面図である。現在市販されている携帯電話機は、例えば、上筐体の液晶表示部側にユーザ自身を写すための第１のカメラと、上筐体乃至下筐体の背面側に、例えば風景を写すための第２のカメラのように、２系統のカメラを備えている。一般的に、第２のカメラが第１のカメラよりも記録画素数が高く、より画質の良い撮影が可能である。しかし、記録画素数が高いカメラほどカメラ周辺の電子部品を含むモジュールの実装体積が大きくなる傾向があり、また、自動焦点調整機能など、レンズ光学系に複雑な機構を実装する必要性も高くなっている。以下の説明において、第２のカメラを「メインカメラ」と称する。
【００３２】
図１６において、図１６（ａ）は、上筐体と下筐体が閉じられた状態のスライド型携帯電話機の背面を示す平面図である。下筐体２０１の背面側にメインカメラの光学窓が形成されていることが示されている。図１６（ｂ）は、図１６（ａ）に示すスライド型携帯電話機のＡ-Ａ断面を示す断面図である。下筐体２０１に設けられたカメラモジュール２１４の厚みが、下筐体２０１の厚みよりも大きいため、下筐体２０１の正面側にカメラモジュール２１４を収納するための凸部がカメラモジュール収納部２１５として形成されている。下筐体２０１のカメラモジュール収納部２１５が、下筐体２０１の正面側に張り出しているため、下筐体２０１に対してスライドする上筐体１０１の背面側は、カメラモジュール収納部２１５が下筐体２０１の正面から張り出している分だけ、凹部２１６が形成されており、厚みが薄くなっている。図１６（ｃ）は、図１６（ａ）に示すスライド型携帯電話機のＢ-Ｂ断面を示す断面図である。下筐体２０１のカメラモジュール収納部２１５が、下筐体２０１の正面側に張り出している分、上筐体１０１の背面、上筐体１０１の幅方向の中央部分に凹部１１０が形成されており、厚みが薄くなっている。しかし、上筐体１０１の幅方向中央の両側部分は、カメラモジュール収納部２１５と干渉しないため、厚みが大きく形成されている。この上筐体１０１の幅方向中央の両側部分にスライドモジュール２１７が設けられており、上筐体１０１と下筐体２０１がスライド可能に連結される。
【００３３】
上記説明のように、下筐体に設けられるメインカメラのモジュールが大きくなっても、スライド型携帯電話機であれば、スライドモジュールが形成されていない中央部分で、メインカメラモジュールが収納された張り出し部分が干渉しないように、上筐体の厚みを薄くすることが可能である。したがって、高性能なカメラモジュールを実装することが可能となる。
【図面の簡単な説明】
【００３４】
【図１】本発明に係るスライド型携帯電話機の外観を示す外観斜視図である。
【図２】本発明に係るスライド型携帯電話機に適用されるスライドモジュールの構成を示す分解斜視図である。
【図３】スライドモジュールを上筐体に取り付ける状態を説明する説明図である。
【図４】本発明に係るスライド型携帯電話機の上筐体の背面を示す平面図である。
【図５】上筐体と下筐体を組み付ける状態を説明する分解斜視図である。
【図６】上筐体下ケースの背面と下筐体上カバーの正面を示す平面図である。
【図７】上筐体と下筐体がスライド可能に組み付けられた状態の断面を示す断面図である。
【図８】本発明に係るスライド型携帯電話機の筐体ロック機構を説明する分解斜視図である。
【図９】下筐体の平面図である。
【図１０】図９に示す下筐体の断面を示す断面図である。
【図１１】下筐体の分解斜視図である。
【図１２】本発明に係るスライド型携帯電話機の断面を示す断面図である。
【図１３】本発明に係るスライド型携帯電話機のスライドモジュールを構成するアクチュエータの断面を示す断面図である。
【図１４】本発明に係るスライド型携帯電話機のロック機構を説明する分解斜視図である。
【図１５】本発明に係るスライド型携帯電話機のロック機構を説明する分解斜視図である。
【図１６】本発明に係るスライド型携帯電話機を示す平面図及び断面図である。
【符号の説明】
【００３５】
１０１  上筐体、１０２  液晶表示部、１０３  キー入力部、１０４  受話部、
１０５  上筐体下ケース、１０６  ねじ止め部、１０７  スライドモジュール設置部、
１０８  サブフック溝、１０９  折り返し部、１１０  凹部、
２０１  下筐体、２０２  キー入力部、２０３  送話部、２０４  解除ボタン、
２０５  下筐体上カバー、２０６  サブフック嵌合部、２０７  下筐体下ケース、
２０８  金属体、２０９  フレーム、２１０  基板、２１１  ねじ固定部、
２１２  カメラレンズ窓、２１３  カメラモジュール配置部、
２１４  カメラモジュール、２１５  カメラモジュール収納部、２１５  メインカメラ、
２１６  凹部、２１７  スライドモジュール、
３０１  シャフト、３０２  Ｅリング、３０３  フレーム、３０４  孔、
３０５  ダンパ、３０６  アクチュエータ、３０７  ばね、３０８  突起部、
３０９  ねじ止め部、３１０  フレームガイド溝、３１１  ねじ孔、３１２  ねじ、
３１３  アクチュエータ溝、
４００  ロック、４０１  レバー、４０２  レバー押さえ、４０３  ばね、
４０４  係合部、４０５  レバー設置部、
５００  ロック、５０１  突起部、５０２  金属部材、５０３  レバー、
５０４  係合部、５０５  レバー設置部
【図１】
2006333079.tif 000003
【図２】
2006333079.tif 000004
【図３】
2006333079.tif 000005
【図４】
2006333079.tif 000006
【図５】
2006333079.tif 000007
【図６】
2006333079.tif 000008
【図７】
2006333079.tif 000009
【図８】
2006333079.tif 000010
【図９】
2006333079.tif 000011
【図１０】
2006333079.tif 000012
【図１１】
2006333079.tif 000013
【図１２】
2006333079.tif 000014
【図１３】
2006333079.tif 000015
【図１４】
2006333079.tif 000016
【図１５】
2006333079.tif 000017
【図１６】
2006333079.tif 000018